(57)【要約】【課題】測定データを無線で本体に送信する測定ユニットの設置位置を、正確に知ることができる測定装置を提供する。【解決手段】測定データを測定する測定ユニット２Ａ〜２Ｃから、タッチパネル１２を有する本体１に測定データを無線で送信する測定装置は、本体１がマップ４０を記憶するマップ記憶部と、マップ４０に対する測定ユニット２Ａ〜２Ｃの設置位置Ｐ１〜Ｐ３を記憶する設置位置記憶部と、マップ記憶部に記憶されたマップ４０、及び設置位置記憶部に記憶された設置位置Ｐ１〜Ｐ３を読み込んで、設置位置Ｐ１〜Ｐ３を識別可能にマップ４０をタッチパネル１２に表示させるマップ描画部とを備えるものである。【選択図】図５
2014093629.tif 000002
【特許請求の範囲】
【請求項１】
測定データを測定する測定ユニットから、表示部を有する本体に、測定データを無線で送信する測定装置であって、
前記本体が、マップを記憶するマップ記憶部と、前記マップに対する前記測定ユニットの設置位置を記憶する設置位置記憶部と、マップ記憶部に記憶された前記マップ、及び前記設置位置記憶部に記憶された前記設置位置を読み込んで、前記設置位置を識別可能に前記マップを前記表示部に表示させるマップ描画部とを備えることを特徴とする測定装置。
【請求項２】
前記本体が、前記マップに対する前記測定ユニットの設置位置を設定するための位置設定部を備えていることを特徴とする請求項１に記載の測定装置。
【請求項３】
前記マップ記憶部に、前記マップと共に、このマップ内の特定の部位に関連させて他のマップを記憶可能であり、前記マップ描画部が、前記マップと前記他のマップとを切り替えて表示可能であることを特徴とする請求項１又は２に記載の測定装置。
【請求項４】
前記マップ描画部が、前記マップを表示する視点を変更して前記表示部に表示可能であることを特徴とする請求項１から３のいずれかに記載の測定装置。
【請求項５】
前記本体が、前記本体の向きを検出する向き検出部を備え、前記マップ記憶部には、向きを識別可能に前記マップが予め記憶されていて、前記マップ描画部が、前記向き検出部の検出する前記本体の向きに前記マップの向きを合わせて前記表示部に表示可能であることを特徴とする請求項１から４のいずれかに記載の測定装置。
【請求項６】
前記本体が、前記マップを外部から取得するためのマップ取得部を備えていることを特徴とする請求項１から５のいずれかに記載の測定装置。
【請求項７】
前記本体が、前記マップを作成するためのマップ作成部を備えていることを特徴とする請求項１から６のいずれかに記載の測定装置。
【請求項８】
コンピュータを、
マップを作成するためのマップ作成手段と、
前記マップを記憶する記憶手段と、
前記マップを、バーコードに変換するマップ−バーコード変換手段と、
変換した前記バーコードを出力する出力手段として動作させることを特徴とするプログラム。
【発明の詳細な説明】
【技術分野】
【０００１】
本発明は、測定ユニットから本体に測定データを無線で送信する測定装置に関するものである。
【背景技術】
【０００２】
温度、湿度、風向、圧力、流量、照度、電気的特性、機械的特性などの測定データを測定する測定ユニットを測定対象物の位置に設置して、本体を測定者の常駐位置に配置したり測定者が持ち歩いたりして、測定ユニットから本体に無線でデータを収集する測定装置がある。このような測定装置の一例が、特許文献１に記載されている。
【０００３】
特許文献１に記載された自動検針システムは、電気、ガス等の検針データを測定して無線装置から測定データを送信するメータ装置（測定ユニット）と、送信された測定データを受信する無線装置に通信回線で繋がっている監視センタ（本体）とを備えている。
【先行技術文献】
【特許文献】
【０００４】
【特許文献１】特開２００２−１５２８５３号公報
【発明の概要】
【発明が解決しようとする課題】
【０００５】
特許文献１に記載された自動検針システムのように、測定ユニットから本体に無線で測定データを通信する測定装置では、本体から離れた任意の場所に測定ユニットが設置されるので、測定ユニットの設置位置が判らなくなってしまう可能性がある。
【０００６】
本発明は前記の課題を解決するためになされたもので、測定データを無線で本体に送信する測定ユニットの設置位置を、正確に知ることができる測定装置を提供することを目的とする。
【課題を解決するための手段】
【０００７】
前記の目的を達成するためになされた、特許請求の範囲の請求項１に記載された測定装置は、測定データを測定する測定ユニットから、表示部を有する本体に、測定データを無線で送信する測定装置であって、前記本体が、マップを記憶するマップ記憶部と、前記マップに対する前記測定ユニットの設置位置を記憶する設置位置記憶部と、マップ記憶部に記憶された前記マップ、及び前記設置位置記憶部に記憶された前記設置位置を読み込んで、前記設置位置を識別可能に前記マップを前記表示部に表示させるマップ描画部とを備えることを特徴とする。
【０００８】
請求項２に記載された測定装置は、請求項１に記載されたものであり、前記本体が、前記マップに対する前記測定ユニットの設置位置を設定するための位置設定部を備えていることを特徴とする。
【０００９】
請求項３に記載された測定装置は、請求項１又は２に記載されたものであり、前記マップ記憶部に、前記マップと共に、このマップ内の特定の部位に関連させて他のマップを記憶可能であり、前記マップ描画部が、前記マップと前記他のマップとを切り替えて表示可能であることを特徴とする。
【００１０】
請求項４に記載された測定装置は、請求項１から３のいずれかに記載されたものであり、前記マップ描画部が、前記マップを表示する視点を変更して前記表示部に表示可能であることを特徴とする。
【００１１】
請求項５に記載された測定装置は、請求項１から４のいずれかに記載されたものであり、前記本体が、前記本体の向きを検出する向き検出部を備え、前記マップ記憶部には、向きを識別可能に前記マップが予め記憶されていて、前記マップ描画部が、前記向き検出部の検出する前記本体の向きに前記マップの向きを合わせて前記表示部に表示可能であることを特徴とする。
【００１２】
請求項６に記載された測定装置は、請求項１から５のいずれかに記載されたものであり、前記本体が、前記マップを外部から取得するためのマップ取得部を備えていることを特徴とする。
【００１３】
請求項７に記載された測定装置は、請求項１から６のいずれかに記載されたものであり、前記本体が、前記マップを作成するためのマップ作成部を備えていることを特徴とする。
【００１４】
請求項８に記載されたプログラムは、コンピュータを、マップを作成するためのマップ作成手段と、前記マップを記憶する記憶手段と、前記マップを、バーコードに変換するマップ−バーコード変換手段と、変換した前記バーコードを出力する出力手段として動作させることを特徴とする。
【発明の効果】
【００１５】
本発明を適用する測定装置によれば、本体の表示部に、測定ユニットの設置位置を識別可能なマップを表示させることにより、オペレータは測定ユニットの設置位置を正確に知ることができる。そのため、例えば、オペレータは測定ユニットを探し回ることなく、測定ユニットの回収を迅速に行うことができる。
【００１６】
本体が測定ユニットの設置位置を設定するための位置設定部を備える場合、測定ユニットの設置位置を簡便かつ迅速に設定、変更することができる。
【００１７】
マップ記憶部にマップと共に、このマップ内の特定の部位に関連させた他のマップが記憶されており、マップ描画部が前記マップと他のマップとを切り替えて表示可能である場合、複数のマップにより測定ユニットの設置位置を一層正確に知ることができる。
【００１８】
マップ描画部がマップを表示する視点を変更して表示部に表示可能である場合、本体に表示されるマップの向きと実際の場所の向きとを合わせることができるため、マップと場所との位置関係が判りやすく、見やすい。本体が向き検出部を備えてマップの向きを実際の場所に合わせて表示部に表示可能である場合、マップの向きが自動的に変わるので、測定ユニットの設置位置を一層迅速かつ簡便に知ることができる。
【００１９】
本体がマップを外部から取得するためのマップ取得部を備える場合、種々のマップを取得して使用することができる。
【００２０】
本体がマップを作成するためのマップ作成部を備えている場合、マップ作成用の他の装置が不要になるので便利である。
【００２１】
コンピュータでマップを作成して、さらにバーコードに変換し、このバーコードを、測定装置のマップ取得部が読み込むようにしてもよい。
【図面の簡単な説明】
【００２２】
【図１】本発明を適用する測定装置の測定状態を示す概要図である。
【図２】本発明を適用する測定装置のうちの本体のブロック図である。
【図３】本発明を適用する測定装置のうちの測定ユニットのブロック図である。
【図４】本発明を適用する本体の表示部にマップを表示した状態を示す本体の正面図である。
【図５】図４に示した表示部に、各測定ユニットの設置位置を識別可能に表示したマップを表示した状態を示す本体の正面図である。
【図６】マップの特定の部位に関連させた他のマップを表示部に表示させた表示例である。
【図７】斜視図で表現したマップを表示部に表示させた表示例である。
【図８】本体の向きに合わせてマップの向きを自動的に回転させた表示例を示す本体の正面図である。
【図９】マップを作成する使用状態を示す本体の正面図である。
【図１０】カメラレンズの向きを変更する様子を示す本体の部分拡大正面図である。
【図１１】汎用のコンピュータを用いてマップを作成する様子を示す概要図である。
【図１２】図１１に示したコンピュータのブロック図である。
【図１３】本体がインターネットに接続して、サーバー（コンピュータ）からマップを取得する様子を示す概要図である。
【図１４】コンピュータでアドレスを変換したバーコードを作成させる動作を示すフローチャートである。
【図１５】コンピュータでマップを変換したバーコードを作成させる動作を示すフローチャートである。
【発明を実施するための形態】
【００２３】
以下、本発明を実施するための形態を詳細に説明するが、本発明の範囲はこれらの形態に限定されるものではない。
【００２４】
本発明を適用する測定装置の一例を、図１に示す。この測定装置は、本体１、及び測定ユニット２（２Ａ，２Ｂ，２Ｃ）を備え、各測定ユニット２から本体１に測定データが無線で送信可能に構成されている。
【００２５】
本体１には、一例として、携帯型の筐体の正面に、タッチパネル１２、デジタルカメラ１８の撮影用レンズ１８ａ、及びカーソルキー等の操作ボタンによる操作部２３が設けられていると共に、筐体の一側面に、外部Ｉ／Ｆ（インタフェース）部１９、及びメディアスロット２０が設けられている。本体１は、各測定ユニット２が送信した測定データを受信して、タッチパネル１２に表示可能に構成されている。
【００２６】
測定ユニット２には、一例として、携帯型の小型の筐体の一側面に、測定用センサー３８がコネクタで着脱可能に設けられている。
【００２７】
図２に、本体１のブロック図を示す。本体１は、本体制御部となるＣＰＵ（中央演算処理装置）１０、無線通信部１１、タッチパネル１２、測定データ記憶部１３、マップ記憶部１４、設置位置記憶部１５、画像記憶部１６、向き検出部１７、デジタルカメラ１８、外部Ｉ／Ｆ部１９、メディアスロット２０、及び操作部２３を備えている。又、図示しないが、本体１は、動作用の電源として電池を内蔵している。
【００２８】
ＣＰＵ１０は、プログラム記憶部（不図示）に記憶されているプログラムに従って動作して、本体１の動作を統括的に制御する。又、ＣＰＵ１０は、後述するように、マップ描画部２５、位置設定部２６、マップ取得部２７、マップ作成部２８としても動作する。図２に示すように、ＣＰＵ１０には、本体１の各部が接続されている。
【００２９】
無線通信部１１は、無線送信回路及び無線受信回路（不図示）を備えると共にアンテナを備え、測定用の設定データや測定データ等を、後述する測定ユニット２の無線通信部３２（図３参照）と、無線で通信（送受信）可能なものである。無線通信部１１，３２には、公知のものを用いることができる。無線信号は、電波、赤外線、又は光のいずれであってもよい。１０ｍ〜数１００ｍ程度の近距離通信を行う場合、無線通信部１１，３２として、Ｂｌｕｅｔｏｏｔｈ（登録商標）規格に準拠したものを用いると、小型化、入手性の観点や、免許が不要であることから、特に好ましい。
【００３０】
タッチパネル１２は、画像を表示可能な液晶パネルなどの表示部２１と、接触位置を検知可能なタッチパッドなどの操作部２２とを組み合わせたものである。操作部２３は、例えば操作用の押しボタンやキーボード、マウスなどである。タッチパネル１２を用いずに、表示部２１として液晶パネルを用い、操作部２２，２３として押しボタンや数値キー、カーソルキー、キーボード等を用いてもよい。
【００３１】
測定データ記憶部１３は、測定ユニット２から送られる測定データを記憶する。マップ記憶部１４は、マップ（マップデータ）を記憶する。設置位置記憶部１５は、マップに対する各測定ユニット２の設置位置を記憶する。画像記憶部１６は、デジタルカメラ１８の撮像した画像を記憶する。
【００３２】
測定データ記憶部１３、マップ記憶部１４、設置位置記憶部１５、画像記憶部１６は、例えばフラッシュメモリやハードディスクなど書き換え可能な不揮発性のメモリであり、各々別個のメモリを使用してもよいし、同一のメモリの記憶領域を適宜分けて使用してもよい。画像記憶部１６は、デジタルカメラ１８内に設けられていてもよい。又、撮像画像を長期間保存しない場合、画像記憶部１６は、一時的に撮像画像を記憶するＲＡＭなどの揮発性メモリであってもよい。
【００３３】
向き検出部１７は、本体１が向いている向き（方向）を検出するものであり、例えば、３軸磁気センサーで地磁気を検出して、北に対する角度や東西南北で向きを出力する方位センサー（電子コンパス）である。向き検出部１７として、ＧＰＳ（グローバル・ポジショニング・システム）を用いてもよい。
【００３４】
デジタルカメラ１８は、ＣＣＤイメージセンサなどの固体撮像素子で画像を撮像して写真画像データを出力するものである。デジタルカメラ１８は、カラー又はモノクロのいずれの写真画像を撮像可能なものであってもよいが、マップ記憶部１４のデータ容量が許容できれば、視認性のよいカラーの方が好ましい。このデジタルカメラ１８は、後述するように、マップの作成のため、及びバーコードの読み取りのために使用される。
【００３５】
外部Ｉ／Ｆ部１９は、電気通信回線に接続してデータ通信するためのものである。この例では、外部Ｉ／Ｆ部１９は、電気通信回線の一例である例えばＬＡＮ（ローカル・エリア・ネットワーク）に接続してデータ通信が可能な公知のＬＡＮ接続用回路であり、ＬＡＮケーブル（有線）を接続可能なコネクタを備えている。外部Ｉ／Ｆ部１９は、無線でＬＡＮに接続可能な無線ＬＡＮモジュールであってもよい。ＣＰＵ１０は、例えば、外部Ｉ／Ｆ部１９を介してＬＡＮに接続し、ＬＡＮに接続された図外のインターネット接続用の機器（ブロードバンドルーターやモデム）を介して、電気通信回線の一例であるインターネットに接続可能になっている。外部Ｉ／Ｆ部１９が、携帯電話回線網に接続可能な携帯電話装置であり、携帯電話回線を介してインターネットに接続してデータ通信が可能なものであってもよい。外部Ｉ／Ｆ部１９が、固定電話回線などを介してインターネットに接続可能なモデムであってもよい。本体１（ＣＰＵ１０）は、ＬＡＮ、インターネットに接続可能な通信プロトコルで動作可能になっている。ＣＰＵ１０が、Ｗｅｂ（ウェブ）ブラウザ機能を有していて、タッチパネル１２にウェブページを表示可能であると、より好ましい。又、外部Ｉ／Ｆ部１９は、インターネットに限らず、他のＷＡＮ（ワイド・エリア・ネットワーク）に接続可能なものであってもよい。外部Ｉ／Ｆ部１９が、図外のコンピュータと有線で１対１で直接接続可能なものであってもよい。このように電気通信回線は、有線であるか無線であるかを問わない。電気通信回線には、光ファイバによる通信網も含まれる。
【００３６】
メディアスロット２０は、ＳＤメモリカードや、フレキシブルディスク、ＵＳＢ（ユニバーサル・シリアル・バス）メモリなどの外部記録媒体を装着して、データの読み書きが可能な回路である。
【００３７】
図３に、測定ユニット２のブロック図を示す。測定ユニット２は、測定ユニット制御部となるＣＰＵ３１、無線通信部３２、測定用回路３３、及び測定用センサー３８を備えている。又、図示しないが、測定ユニット２は、動作用の電源として電池を内蔵している。
【００３８】
測定ユニット２は、測定用センサー３８によって測定された測定値を、測定用回路３３が適正なレベルまで増幅しアナログ／デジタル変換してＣＰＵ３１に出力する。ＣＰＵ３１は、測定用回路３３の出力する測定データを、無線通信部３２から無線送信させる。
【００３９】
本発明に係る測定装置の具体的な動作について説明する。
【００４０】
図４に示すように、本体１は、タッチパネル１２（表示部２１）にマップ４０を表示させるマップ表示モードを有している。マップ４０は、マップ記憶部１４（図２参照）に予め記憶させておく。マップとは、各測定ユニット２を設置（配置）する場所を示す地図や見取り図などの図や、各測定ユニット２を設置する場所を示す写真である。例えば、実験室や製品検査室などの部屋内に測定ユニット２を設置する場合、その部屋の一部又は全体の見取り図や写真をマップとする。建物のフロア内に測定ユニット２を設置する場合、フロアの見取り図等をマップとする。複数階建ての建物の各階に点在させて各測定ユニット２を設置する場合、建物の階の構成が判る見取り図等をマップとする。各家に設置する検針メータのように複数の建物に測定ユニット２を設置する場合、住宅地図等の建物の配置図をマップとする。雪崩センサーや崖崩れセンサー、川の水量センサーのように山や川の広い範囲に測定ユニット２を設置する場合、地図をマップとする。広い範囲に測定ユニット２を設置する場合、マップは航空機で撮影した航空写真や衛星で撮影した衛星写真であってもよい。要は、測定ユニット２の設置場所が判る図や写真をマップにすればよい。同図では、一例として、実験室の見取り図をマップ４０として表示している例を示している。
【００４１】
図２に示すＣＰＵ１０は、オペレータによってタッチパネル１２（操作部２２）や操作部２３が操作されて、マップ表示モードが選択されると、マップ描画部２５として動作して、マップ記憶部１４からマップを読み込むと共に、設置位置記憶部１５から各測定ユニット２の設置位置を読み込んで、各測定ユニット２の設置位置を識別可能に、マップ４０をタッチパネル１２（表示部２１）に表示させる。図４に示す例では、まだ、設置位置記憶部１５に、各測定ユニット２の設置位置が設定（記録）されていないので、マップ４０だけが表示されている例を示している。
【００４２】
各測定ユニット２Ａ、２Ｂ，２Ｃ（図１参照）を設置したときに、オペレータは、本体１のタッチパネル１２を操作して、マップ４０に対する測定ユニット２Ａ、２Ｂ，２Ｃの設置位置を設定する。
【００４３】
このとき、ＣＰＵ１０は、位置設定部２６（図２参照）として動作する。位置設定部２６は、タッチパネル１２の操作で設定された各測定ユニット２Ａ、２Ｂ，２Ｃの設置位置を、例えばマップ４０のＸＹ座標等に対応付けて設置位置記憶部１５に記憶させると共に、マップ４０上に表示させる。
【００４４】
詳細例を示すと、位置設定部２６は、例えば図４に示すように、タッチパネル１２のマップ４０外（例えばマップ４０の下側）に、各測定ユニット２を個別に示す番号や記号、マーク等の識別表示を表示させておく。同図では、白抜き文字の『１』が測定ユニット２Ａを表し、『２』が測定ユニット２Ｂを表し、『３』が測定ユニット２Ｃを表す例を示している。各識別表示には、「ユニットＡ」等のユニット名称を表示するユニット名表示５１，５２，５３を付して表示することが好ましい。同図では、測定ユニット２Ａ，２Ｂ，２Ｃを「ユニットＡ」，「ユニットＢ」，「ユニットＣ」として表示している。このユニット名表示５１，５２，５３は、オペレータが任意の名称を設定・変更できるようにすることが好ましい。位置設定部２６は、識別表示に対応するユニット名表示５１，５２，５３を、設置位置記憶部１５に記憶させる。
【００４５】
位置設定部２６は、一例として、オペレータによってマップ４０外の識別表示『１』がタッチされて、次にマップ４０内の位置がタッチされると、タッチされたマップ４０内の位置を、測定ユニット２Ａの設置位置として、設置位置記憶部１５に記憶させると共に、マップ４０上に識別表示『１』を表示させる。識別表示『２』『３』も同様に設定する。
【００４６】
図５に、マップ４０上に、識別表示『１』〜『３』を設定した例を示す。同図では、測定ユニット２Ａの設置位置Ｐ１としてチャンバーに識別表示『１』が設定され、測定ユニット２Ｂの設置位置Ｐ２として恒温室に識別表示『２』が設定され、測定ユニット２Ｃの設置位置Ｐ３として棚に識別表示『３』が設定された例を示している。
【００４７】
マップ４０上の識別表示『１』〜『３』の設置位置Ｐ１〜Ｐ３は、タッチパネル１２の操作により、簡便に変更できる。例えば、位置設定部２６は、マップ４０上の識別表示『１』がタッチされると、タッチパネル１２に、識別表示『１』の位置を変更するか、削除するかを問う確認ボタン（不図示）を表示させる。位置設定部２６は、変更が選択されたときに、新たな設定位置をタッチするような案内表示（不図示）を表示させる。続いて、位置設定部２６は、オペレータによって新たな設置位置Ｐ１´（不図示）がタッチされると、そこに識別表示『１』を表示させると共に、設置位置記憶部１５に記憶させる。削除が選択されたときは、マップ４０上から識別表示『１』を削除すると共に、設置位置記憶部１５から識別表示『１』の設置位置Ｐ１を削除する。
【００４８】
マップ４０上への測定ユニット２の設置位置Ｐ１〜Ｐ３の設定方法は、この例に限られず、例えば、カーソルキーやマウスでカーソルを動かして位置を設定するようにしてもよい。又、マップ４０上への測定ユニット２Ａ〜２Ｃの表示方法は、この例に限られず、設置位置Ｐ１〜Ｐ３が識別可能であればよく、例えばマップ４０上に、測定ユニット２Ａ〜２Ｂのユニット名を表示させてもよい。
【００４９】
本体１を測定モードに切り替えて測定を行うと、例えば図１の本体１に示すように、ＣＰＵ１０（図２参照）は、タッチパネル１２に測定ユニット２Ａ〜２Ｃの測定データをグラフや数値で表示すると共に、測定データ記憶部１３に記憶させる。
【００５０】
測定が終了したときに、オペレータは、本体１をマップ表示モードで動作させて、図５に示すようにマップ４０を表示させる。オペレータは、マップ４０を見ることで、そこに表示される各測定ユニット２の設置位置Ｐ１〜Ｐ３を直ちに知ることができ、各測定ユニット２を探し回ることなくスムーズに回収することができる。
【００５１】
マップ描画部２５（図２参照）は、タッチパネル１２や操作部２３の操作に対応させて、マップ４０を拡大及び縮小したりするように、マップ４０の表示倍率を変更してタッチパネル１２に表示可能であることが好ましい。その拡大倍率や縮小倍率は、特定の複数の倍率の中から選べるようにしてもよいし、数値等で任意の倍率に適宜設定できるようにしてもよい。又、マップ描画部２５は、拡大してタッチパネル１２に表示させるマップ４０の部分を、タッチパネル１２や操作部２３の操作で動かせるようにすることが好ましい。マップ描画部２５がマップ４０の表示倍率を変更してタッチパネル１２に表示可能である場合、拡大したマップ４０を表示できるので、オペレータは測定ユニット２の設置位置を一層正確に知ることができる。
【００５２】
又、マップ記憶部１４（図２参照）に、マップ４０と共に、マップ４０内の特定の部位に関連させた他のマップを記憶させておき、マップ描画部２５が、マップ４０と他のマップとを切り替えて表示可能であることが好ましい。この切り替えは、マップ４０の特定の部位が操作部２２，２３により選択されたときに、マップ描画部２５が他のマップを表示させることが好ましい。一つの特定の部位に対し、複数の他のマップを階層的に（直列的に）関連させて記憶させてもよい。又、一つの特定の部位に対し、複数の他のマップを並列的に関連させて記憶させてもよい。
【００５３】
例えば、マップ記憶部１４に、図４に示すマップ４０と共に、特定の部位の例として「棚」に関連付けて、マップ４１を記憶させておく。図６に示すように、マップ４１は、一例として、棚の構成が判るように描いた棚の正面見取り図、又は棚の正面写真である。
【００５４】
具体的には、測定ユニット２の設定位置を設定する場合、位置設定部２６（図２参照）は、図５に示すように、測定ユニット２Ｃの設置位置Ｐ３が、マップ４０の特定の部位である「棚」に設定されたときに、マップ記憶部１４に、「棚」に関連するマップ４１が記憶されていることを判別して、図６に示すように、マップ描画部２５に、「棚」のマップ４１を表示させる。このときに、マップ描画部２５は、マップ４１の表示の可否をオペレータに問うてもよい。
【００５５】
オペレータは、表示された棚のマップ４１を見て、測定ユニット２Ｃを設置した棚の具体的な場所に、識別表示『３』を設置位置Ｐ３ａとして設定する。この例では、上から２段目の棚に設置位置Ｐ３ａが設定された例を示している。位置設定部２６は、マップ記憶部１４に、マップ４０に対応する設置位置Ｐ３、及びマップ４１に対応する設置位置Ｐ３ａを記憶させる。
【００５６】
マップ描画部２５は、マップ４０を表示するときに、関連するマップ４１がある特定の部位や、その部位に配置された識別表示の色、輝度、線種などを変えて表示して、関連する詳細なマップ４１がある特定の部位を、オペレータに識別可能に表示することが好ましい。
【００５７】
マップ描画部２５は、図５に示すマップ４０を表示させているときに、マップ４０の特定の部位（「棚」の部分）、又は識別表示『３』がタッチパネル１２等の操作で選択されると、図６に示すマップ４１をタッチパネル１２に表示させる。マップ描画部２５は、マップ４１の表示の可否をオペレータに問うてもよい。
【００５８】
「棚」のマップ４１の特定の部位に関連させて、更に詳細なマップを表示できるようにしてもよい。このように、関連するマップを階層的（直列的）に記憶させておき、切り替えて表示できるようにすることで、オペレータは、測定ユニット２の詳細な設置位置を、より正確に知ることができる。マップを記憶（表示）させる階層の深さは、２階層や３階層に限られず、より深い階層構造にしてもよい。
【００５９】
又、マップ４０の特定の部位（「棚」）に対し、複数の詳細なマップ（正面見取り図、側面見取り図、及び上面見取り図）をマップ記憶部１４に並列的に関連付けて記憶させておき、複数の詳細なマップを同時に並べて表示できるようにしてもよいし、選択的に表示できるようにしてもよい。
【００６０】
マップ４０中の「チャンバー」や「恒温室」等の他の複数の特定の部位についても、詳細な見取り図を関連付けて記憶させておき、表示させるようにしてもよい。
【００６１】
本体１（ＣＰＵ１０）は、測定ユニット２の設置位置が設定されているマップ４０やマップ４１のデータを、タッチパネル１２の操作により、メディアスロット２０に装着した外部メモリに記憶させたり、外部Ｉ／Ｆ部１９を介して外部のコンピュータ等に出力したりできることが、好ましい。設置位置の付されたマップ４０，４１を外部に出力可能にすることで、各測定ユニット２の測定条件（測定位置）をデータとして保存することができる。
【００６２】
又、マップ記憶部１４に、例えば実験室のマップ及び製品試験室のマップなどのような、よく使用する複数の異なるマップを記憶させておき、使用するマップを選択できるようにしてもよい。
【００６３】
又、マップ描画部２５が、マップ４０を表示する視点を変更可能に、タッチパネル１２に表示可能であることが好ましい。
【００６４】
具体的には、本体１は携帯型のため、本体１の向きは自由に変えられるが、本体１に表示されたマップ４０の向きと実際の部屋等の向きが異なる場合、対応関係が判りにくい。そこで、オペレータによるタッチパネル１２の操作により、マップ描画部２５がマップ４０を任意の角度に回転させてタッチパネル１２に表示させることで、マップ４０を表示する視点を変えられるようにすることが好ましい。
【００６５】
図７に示すように、マップ４２は斜視図であってもよい。このように、マップ４２を斜視図で表す場合、図中に配置されているチャンバーや恒温室等の物を、縦、横、高さといった立体的な情報で、マップ記憶部１４に記憶させておき、タッチパネル１２の操作により、斜視図の視点を変えてマップ４２を表示するようにしてもよい。斜視図の視点を変えて表示すると、配置されているものの立体感が判るので、より一層、測定ユニット２の設置位置を直感的に理解することができる。斜視図として、複数の視点から撮影した写真を使用して、視点を変えて表示できるようにしてもよい。
【００６６】
又、マップ４０等の東西南北の向きを、本体１が向いている向きに合わせて自動的に合わせて表示するようにしてもよい。
【００６７】
向きに合わせて自動的にマップ４０の向きを変えて表示するために、図２に示すように、本体１に向き検出部１７を備え、マップ記憶部１４に、向きを識別可能にマップ４０を予め記憶させておき、マップ描画部２５が、向き検出部１７の検出する本体１の向きに合わせるようにマップ４０の向きを回転させてタッチパネル１２に表示させることが、好ましい。
【００６８】
具体的には、マップ４０に、向きを示す情報として、例えばマップ４０の北がどこであるかを示す方位情報を付しておく。図４に示すように、マップ４０に、方位情報に基づく方位マーク５５を表示してもよいし、表示しなくてもよい。方位情報は、マップ４０に予め設定されていてもよいし、本体１で設定できるようにしてもよい。本体１で設定する場合、一例として、タッチパネル１２の操作で、マップ４０の北の位置をタッチして設定したり、マップ４０上に方位マーク５５を追加したりできるようにしておき、ＣＰＵ１０が追加された方位マーク５５の向きから北の位置を算出して、マップ４０の方位情報をマップ記憶部１４に記憶させるようにしてもよい。
【００６９】
図８に、本体１を東西南北に向けたときのマップ４０の表示例を示す。ＣＰＵ１０（マップ描画部２５）は、向き検出部１７の検出した方位から北がどの方向か判別して、図８（ａ）の北向き、図８（ｂ）の西向き、図８（ｃ）の東向き、図８（ｄ）の南向きに示すように、本体１の向きが変わっても、マップ４０の北の位置を実際の北に合わせて表示する。なお、例えば「チャンバー」『１』等のマップ４０中の文字を、同図に示すようにマップ４０と共に回転させて表示させてもよいし、読みやすいように、本体１の向きに直して表示させてもよい。文字の向きを直してマップ４０を表示させる場合、マップ４０に、文字データを識別可能に付しておく。
【００７０】
次に、マップの作成、取得方法について説明する。
【００７１】
本体１は、マップを作成するためのマップ作成部２８を備えていることが、好ましい。
【００７２】
例えば、図９に示すように、タッチパネル１２の操作に基づき、マップ４３を作画できることが好ましい。この場合、タッチパネル１２が操作されて、マップ作成モードが選択されると、ＣＰＵ１０（図２参照）は、マップ作成部２８（図２参照）として動作する。例えば、マップ作成部２８は、タッチパネル１２に描画用の各種アイコン（ボタン）を表示させる。同図では、直線描画用アイコンＭ１、四角形描画用アイコンＭ２、円描画用アイコンＭ３、三角形描画用アイコンＭ４、方位設定アイコンＭ５や文字入力用アイコンＭ６を表示させた例を示している。
【００７３】
オペレータによって、例えば、四角形描画用アイコンＭ２がタッチされて、続いて、マップ４３内がタッチされると、マップ作成部２８は、マップ４３のタッチされた位置に四角形を描画する。四角形の位置、サイズ、角度、線種、色などは適宜修正や変更、削除ができるようにする。アイコンＭ１〜Ｍ５では、それぞれのアイコンに対応する形を描くことができる。又、マップ作成部２８は、文字入力用アイコンＭ６がタッチされると、文字入力用ウインドウを表示させる。文字入力ウインドウは、例えばキーボードを仮想的に示すものや、五十音選択ボタンを表示したものである。マップ作成部２８は、入力された文字を、オペレータの操作に対応させて、マップ４３上の任意の位置に配置する。マップ４３に方位情報を設定する場合、方位設定アイコンＭ５のタッチに続いて、マップ４３がタッチされると、マップ作成部２８は、マップ４３上に方位マーク５５を配置する。方位マーク５５は適宜回転や削除が可能である。マップ作成部２８は、保存ボタンが押されると、マップ４３をマップ記憶部１４に記憶させる。
【００７４】
なお、マップ４３を描画する方法は、この例に限られず、コンピュータで作画する公知の方法を用いることができる。例えば、マップ作成部２８は、オペレータがタッチペンや指でタッチパネル１２上に描いた軌跡を表示するようにして、その軌跡をマップ４３として、マップ記憶部１４に記憶させてもよい。
【００７５】
このように、マップ作成部２８がタッチパネル１２（操作部）の操作に基づき作画可能なものである場合、オペレータが任意のマップを描いて作成することができるので一層便利である。
【００７６】
又、デジタルカメラ１８で撮像した写真画像を、マップとして用いてもよい。
【００７７】
図２に示すマップ作成部２８は、デジタルカメラ１８の撮像した写真画像データを取得して、タッチパネル１２に画像を表示させると共に、画像記憶部１６に記憶させる。オペレータは、表示された画像をマップとして用いる場合、マップ用の保存操作をして、マップ記憶部１４に記憶させる。タッチパネル１２の操作により、画像のトリミングや、画像の色合い・明るさ等の変更、画像に絵を描いて追加、文字等の追加のように画像を適宜加工できるようにして、加工した画像をマップとしてもよい。画像に方位情報を付して、マップとしてもよい。
【００７８】
外部Ｉ／Ｆ部１９やメディアスロット２０から画像を画像記憶部１６に読み込んで、その画像を必要であれば適宜加工して、マップとしてマップ記憶部１４に保存してもよい。画像記憶部１６とマップ記憶部１４を共用してもよい。
【００７９】
このように、マップ作成部２８が、画像データからマップを作成可能である場合、画像から簡便にマップを作成することができる。さらに、本体が、画像データとなる写真画像データを撮像するためのデジタルカメラを備えている場合、所望の場所や物の写真画像データを簡便に取得することができ、マップを一層簡便に作成することができる。
【００８０】
図１０（ａ）〜図１０（ｃ）に示すように、デジタルカメラ１８の撮影用レンズ１８ａの向きを可変可能に構成することが、好ましい。具体的には、例えば同図に示すように、撮影用レンズ１８ａは、軸Ｚを回転軸として、本体１の正面向き（図１０（ａ））〜上向き（図１０（ｂ））〜背面向き（図１０（ｃ））になるように回転可能に構成する。このように撮影用レンズ１８ａの向きを変更可能にすることで、タッチパネル１２の表示を見ながら、種々の方向の撮像が可能になり、マップの作成が容易になる。撮影用レンズ１８ａはズームレンズであってもよい。又、撮影用レンズ１８ａを背面側、又は一側面側に固定して設けてもよく、複数設けてもよい。なお、後述するようにバーコードを撮影する場合、撮影用レンズ１８ａは接写できるものであることが好ましい。
【００８１】
マップとして、測定装置以外の例えば公知の汎用のコンピュータで作成したものを読み込んで、使用してもよい。
【００８２】
図１１に、コンピュータ７０でマップ４０を作成する概要図を示し、図１２にコンピュータ７０の詳細なブロック図を示す。図１２に示すように、このコンピュータ７０は、ＣＰＵ７１、表示装置７２、入力装置７３、出力装置７４、及び記憶装置７５を備えている。図１１，１２に示すように、コンピュータ７０は、入力装置７３として、キーボード、マウス、ＬＡＮ接続回路、スキャナ７６を備え、出力装置７４として、プリンタ７７、ＬＡＮ接続回路、メディアスロットを備えている。記憶装置７５は、例えばハードディスクであり、ＣＰＵ７１を動作させるためのプログラムが記憶されている。コンピュータ７０のメディアスロットには、図１１に示すように、例えばＵＳＢメモリ７８のような外部記録媒体が装着される。
【００８３】
このコンピュータ７０は、プログラムにより、マップ作成手段として動作してマップを作成し、出力手段として動作してマップを出力する。
【００８４】
マップの作成は、（１）コンピュータ７０を用いて見取り図、地図等を作画して作成する方法、（２）画像データから作成する方法がある。画像データとしては、スキャナ７６により紙に描かれた見取り図等を読み込んだ画像データ、図外のデジタルカメラで撮像した画像データ、インターネット等に接続して図外のサーバーからダウンロードした地図や写真等の画像データのように任意の画像データを用いることができる。プログラムは、（１）（２）の両方を行うことができるマップ作成手段としてコンピュータ７０を動作させるものであることが、好ましいが、いずれか一方として動作させるものであってもよい。
【００８５】
上記（１）に記載したように、コンピュータ７０で見取り図等を作画してマップを作成する場合、コンピュータオペレータによる作画モードの選択で、プログラムは、コンピュータ７０を、マップ作成手段である作画装置（作画手段）として動作させる。作画手段の動作は、公知の作画用のソフトウエアでコンピュータ７０を動作させたときと同様である。コンピュータ７０は、コンピュータオペレータによるキーボードやマウスの操作により、任意の色、線種、形状の線や図形、任意の文字等を表示装置７２に描画して表示する。これにより、図１１に示すような任意のマップ４０が、表示装置７２に表示される。前述した、本体１でマップ４３を作図した例と同様に作図できるようにしてもよい。
【００８６】
作画手段は、コンピュータオペレータによる保存操作が行われると、マップ記憶手段となる記憶装置７５に、マップ４０を示すデータを記憶させる。このデータ形式は、本体１がマップとして読み込み、及び表示可能な形式に合わせる。
【００８７】
作画手段により、マップ４０に方位情報を付すことができるようにすることが好ましい。方位情報を付す場合、コンピュータオペレータは、例えば、マップ４０上に、方位マーク５５を配置する。マップ作成手段は、この方位マーク５５の向きから、例えば、マップ４０の中心から見て北になる縁の座標を方位情報として算出して、マップ４０に付して、記憶装置７５に記憶させる。方位情報がマップ４０に付されていれば、方位マーク５５の形状自体は、マップ４０に含ませなくてもよい。作画手段は、方位情報として、本体１が読み込み可能なデータ形式に合わせて、マップ４０に付す。
【００８８】
上記（２）に記載したように、画像データからマップを作成する場合、コンピュータオペレータによる画像加工モードの選択で、プログラムは、コンピュータ７０を、マップ作成手段となる画像加工装置（画像加工手段）として動作させる。なお、画像データは、スキャナ７６やデジタルカメラ、ＬＡＮ経由で他のコンピュータなどから読み込んで記憶装置７５に予め記憶されているものとする。
【００８９】
画像加工手段は、記憶装置７５から画像データを読み込んで、表示装置７２に表示させる。画像加工手段は、コンピュータオペレータによるキーボードやマウスの操作により、画像のトリミングや、画像の色合い・明るさ等の変更、画像に絵を描いて追加、文字等の追加を行う。作画手段の動作は、公知の画像加工用のソフトウエアでコンピュータ７０を動作させたときと同様である。画像加工手段は、本体１が表示可能なマップのサイズに画像サイズを自動的に調整する。画像加工手段は、本体１がカラー画像を表示できればカラーで編集可能とし、モノクロ画像だけを表示できればモノクロ画像で編集するようにする。
【００９０】
画像加工手段は、コンピュータオペレータによる保存操作が行われると、マップ記憶手段となる記憶装置７５に、加工した画像を、マップ４０を示すデータとして記憶させる。このデータ形式は、本体１がマップとして読み込み、及び表示可能な形式に合わせる。画像データは、データ量が多くなるので、ＢＭＰ形式よりも、画像データを圧縮するＪＰＧ形式やＴＩＦＦ形式等の方が好ましい。データ量の少ない独自の形式を用いてもよい。
【００９１】
マップ４０に方位情報を付す場合、コンピュータオペレータは、例えば、マップ４０上に方位マーク５５を配置する。画像加工手段は、マップ４０に北の位置を示す方位情報を付して、記憶装置７５に記憶させる。
【００９２】
このように、マップ作成手段として動作するコンピュータ７０により、マップが作成される。
【００９３】
次に、コンピュータ７０は、マップ出力手段として動作して、作成されたマップ４０を出力する。マップ出力手段は、マップ４０を、メディアスロットからＵＳＢメモリ７８に出力したり、ＬＡＮを介して出力したり、インターネット上のサーバーとなってインターネットを介して出力したりする。なお、ＬＡＮやインターネットのサーバーとなる他のコンピュータに、マップ４０を出力してもよい。
【００９４】
図２に示す本体１のＣＰＵ１０は、タッチパネル１２が操作されてマップ取得操作をされたときに、マップ取得部２７として動作して、マップ４０を取得する。
【００９５】
マップ取得部２７は、メディアスロット２０に接続されたＵＳＢメモリ７８からマップ４０を読み込んだり、外部Ｉ／Ｆ部１９にＬＡＮで接続されるコンピュータ７０からマップ４０を取得したり、外部Ｉ／Ｆ部１９によりインターネットに接続して、インターネット上のサーバーとなっているコンピュータ７０からダウンロードしてマップ４０を取得したりする。マップ取得部２７は、取得したマップ４０をマップ記憶部１４に記憶させる。
【００９６】
マップ取得部２７は、ＵＳＢメモリ７８内や、外部Ｉ／Ｆ部１９により接続されたコンピュータ７０内（ファイルフォルダ内）に存在する電子ファイルのファイル名を、タッチパネル１２に表示させる。オペレータがタッチパネル１２の操作でマップ４０である電子ファイルを選択して、読み込みを指示する操作を行うことで、マップ取得部２７は、選択されたマップ４０を読み込んで、マップ記憶部１４に記憶させる。
【００９７】
しかしながら、ＵＳＢメモリ７８内やコンピュータ７０内に、マップ４０の他に電子ファイルが多数存在する場合、どの電子ファイルがマップ（マップデータの電子ファイル）であるか判りにくい。そのため、コンピュータ７０は、所定の拡張子（例えば「.map」）の付いた電子ファイル、又は所定の名称（例えばファイル名の先頭に「map_」）が少なくとも一部の付いた電子ファイルを、マップ４０として作成するようにして、本体１のマップ取得部２７は、所定の拡張子の付いた電子ファイル、又は所定の名称が少なくとも一部の付いた電子ファイルを、マップ４０であると識別することが好ましい。
【００９８】
この場合、マップ取得部２７は、ＵＳＢメモリ７８内やコンピュータ７０内に存在する電子ファイルのうち、ファイル名に所定の拡張子の付いた電子ファイル、又はファイル名の少なくとも一部に所定の名称の付いた電子ファイルを、マップ４０として識別する。マップ取得部２７は、マップ４０として識別した電子ファイルのファイル名だけを、タッチパネル１２に表示させることが好ましい。これにより、本体１のオペレータは、マップ４０を直ちに選択して取得することができる。異なるマップ４０１，４０２・・・の電子ファイル名が複数表示される場合、オペレータは、タッチパネル１２を操作して、適切なマップ４０を選択して取得する。
【００９９】
マップ取得部２７は、ＵＳＢメモリ７８等にマップ４０が一つだけ存在する場合、自動的にそのマップを読み込むようにしてもよいし、複数のマップ４０１，４０２・・・が存在する場合、それらの電子ファイルの作成時間を判別して、最新のものをマップ４０として自動的に取得するようにしてもよい。又、本体１にシリアル番号等の個別番号を付しておき、この個別番号に対応する電子ファイル名を有するマップ４０を自動的に選択して取得するようにしてもよい。
【０１００】
本体１がインターネットでサーバー（コンピュータ７０）からマップ４０をダウンロードして取得する場合、アクセス先のサーバーのアドレス（ＵＲＬ等）が必要である。図１４に、本体１がインターネットを介してコンピュータ７０からマップ４０を取得する様子を図示する。アドレスは、マップ４０が保存されているディレクトリ階層や電子ファイル名まで示すため長くなる。そのため、オペレータが本体１のタッチパネル１２を操作して、手動でアドレスを入力する作業は煩雑であるし、入力誤りをしてしまう可能性がある。
【０１０１】
そこで、図１１に示すコンピュータ７０は、マップ４０をダウンロード可能なアクセス先のアドレスを、一次元バーコード又は二次元バーコードなどのバーコードに変換して出力することが好ましい。本体１は、そのバーコードをデジタルカメラ１８で光学的に読み取り、読み取ったバーコードをアドレスに逆変換して、インターネットにアクセス可能であることが好ましい。
【０１０２】
この場合、コンピュータ７０はプログラムによって、図１４に示すフローチャートで動作する。アドレス入力ステップＳ１は、コンピュータ７０のキーボード等の入力装置が操作されて、コンピュータオペレータによりアドレスが入力設定されるステップである。アドレスは、例えば「http://○○.○○.○○/○○.○○/○○/○○/」（○はアルファベット又は数字）のような文字情報である。
【０１０３】
続いて、コンピュータ７０、アドレス−バーコード変換手段として動作して、入力されたアドレスに対し所定のバーコード変換処理を行ってバーコードを生成する。生成するバーコードの形式として、公知のバーコードの形式を使用してもよいし、独自の形式を使用してもよい。一次元バーコード又は二次元バーコードを使用してもよいが、二次元バーコードは縦方向及び横方向を使用することで多くの情報を記録できるため、より好ましく使用することができる。公知の二次元バーコードとして、例えば、ＱＲコード（登録商標）、ＰＤＦ４１７、データマトリックス、マキシコードなどがある。図１１（ａ）に、アドレスを変換したＱＲコードの画像の例を示す。
【０１０４】
続いて、コンピュータ７０は、バーコード出力ステップＳ３でバーコードを出力する。コンピュータ７０は、バーコードを、プリンタ７７（図１１参照）で紙に印刷して出力してもよいし、バーコードの画像データファイルをＵＳＢメモリ７８に出力してもよし、ＬＡＮ経由で出力してもよい。例えば、コンピュータ７０からバーコードの画像データを電子メールに添付して、インターネットで本体１のオペレータに送信してもよい。
【０１０５】
本体１のオペレータは、バーコード−アドレス読み取りモードで本体を動作させ、入手したバーコードを、図２に示す本体１のデジタルカメラ１８で撮像する。マップ取得部２７は、撮像された画像を画像記憶部１６に記憶させ、その画像中からバーコードを認識し、バーコードを逆変換してアドレスを得る。画像処理によるバーコードの認識方法やバーコードの逆変換方法は、例えばカメラ付きの携帯電話で使用されているような公知の方法を使用することができる。バーコードを光学的に読み取る装置として、デジタルカメラ１８に換えて、バーコードにレーザーや発光ダイオードの光を照射して、その反射光を固体撮像素子で読み込むバーコードスキャナ（バーコードリーダー）を用いてもよい。
【０１０６】
マップ取得部２７は、得られたアドレスにより、インターネット上のサーバーにアクセスして、マップ４０をダウンロードする。
【０１０７】
このように、マップ取得部２７が、電気通信回線（インターネット）のアクセス先のアドレスを変換したバーコードを読み込んで、バーコードを逆変換してアドレスを取得可能である場合、アクセス先に簡便かつ確実にアクセスしてマップ４０を取得することができる。
【０１０８】
なお、コンピュータ７０は、マップ４０自体を、本体１が読み取り可能な、一次元バーコード又は二次元バーコードなどのバーコードに変換して出力するようにしてもよい。本体１（マップ取得部２７）は、マップ４０を変換したバーコードを読み込んで、読み取ったバーコードをマップ４０に逆変換して記憶する。
【０１０９】
この場合、コンピュータ７０はプログラムによって、図１５に示すフローチャートで動作する。
【０１１０】
同図に示すマップ作成ステップＳ１１は、既に前述した（１）（２）で説明したように、コンピュータ７０がマップ作成手段として動作して、マップ４０が作成されるステップである。同図のマップ記憶ステップＳ２は、マップ記憶手段となる記憶装置７５（図）に、マップ４０を示すデータを記憶させるステップである。
【０１１１】
マップ−バーコード変換ステップＳ１３では、コンピュータ７０が、プログラムにより、アドレス−バーコード変換手段として動作して、マップ４０に対し所定のバーコード変換処理を行ってバーコードを生成する。この場合も前述したような公知のバーコードの形式を用いてもよいし、独自の形式のバーコードを用いてもよい。図１１（ｂ）に、マップ４０を変換したＱＲコードの画像の例を示す。マップ４０はアドレスよりも情報量が多いので、アドレスを変換した図１１（ａ）よりも形状が大きくなる。
【０１１２】
バーコードには、記録できる情報量に上限がある場合が多いので、マップ４０のデータ量を小さくすることが好ましい。
【０１１３】
例えば、本体１のマップ記憶部１４（図２参照）に、直線モジュール、四角形モジュール、丸モジュール、三角形モジュール等の基本モジュールを予め登録しておく。本体１のマップ取得部２７は、バーコードにより、基本モジュールの種類、マップ４０上に配置される基本モジュールの位置、基本モジュールの大きさ、角度、色が指定されることで、マップ４０を再現するようになっている。
【０１１４】
コンピュータ７０では、マップ作成ステップＳ１１（図１５参照）で、本体１に記憶されているものと同じ基本モジュールでマップ４０の作成するようにしておき、基本モジュールの種類、マップ４０上に配置される基本モジュールの位置、基本モジュールの大きさ、角度、色でマップ４０を表現したバーコードを作成する。このように、基本モジュールを用いてマップ４０を表現することで、例えばマップ４０を写真のような画像データとして表す場合よりも、データ量を小さくできるので好ましい。
【０１１５】
なお、マップ４０をバーコードで表現する方法として、他の公知の方法を用いてもよい。コンピュータ７０により、作成したマップ４０の電子ファイルを圧縮処理してからバーコードを作成してもよい。この場合、本体１のマップ取得部２７は、解凍処理できるようにしておく。このように、コンピュータ７０と本体１とは、バーコードによるマップ４０の表現方法を合わせておく。
【０１１６】
コンピュータ７０によって作成されたバーコードは、すでに説明したアドレスをバーコードに変換する場合（図１４のバーコード出力ステップＳ３）と同様にバーコード出力ステップＳ１４で、紙やバーコードの画像データとして出力される。
【０１１７】
本体１のオペレータは、バーコード−マップ読み取りモードで本体を動作させ、入手したバーコードを、図２に示す本体１のデジタルカメラ１８で撮像する。マップ取得部２７は、撮像された画像を画像記憶部１６に記憶させ、その画像中からバーコードを認識し、バーコードを逆変換してマップ４０を得る。マップ取得部２７は、得られたマップ４０をマップ記憶部１４に記憶させる。このように、バーコードを読み込んでマップ４０に変換する場合、本体１へのマップ４０の読み込みを簡便に行うことができる。
【０１１８】
なお、マップ取得部２７は、読み取ったバーコードがアドレスを示すものか、マップを示すものか、自動的に判断してもよい。
【０１１９】
又、本体１が測定ユニット２の設置位置を設定するための位置設定部２６を備えずに、コンピュータ７０等の外部の装置で、各測定ユニット２の設置位置をマップに対応させて作成し、作成した設置位置を、外部Ｉ／Ｆ部１９から読み込んだり、外部記憶媒体を用いてメディアスロット２０から読み込んだりすることで、設置位置記憶部１５に記憶させるようにしてもよい。この場合、本体１は位置設定部２６を備えていてもよい。又、コンピュータ７０等の外部の装置で、測定ユニット２の設置位置を識別可能に表示したマップを作成し、そのマップを本体１に読み込ませてマップ記憶部１４に記憶させ、タッチパネル１２に表示させるようにしてもよい。この場合、マップに測定ユニット２の設置位置が含まれるため、マップ記憶部１４が設置位置記憶部１５を兼ねるものになる。
【符号の説明】
【０１２０】
１は本体、２・２Ａ・２Ｂ・２Ｃは測定ユニット、１０はＣＰＵ、１１は無線通信部、１２はタッチパネル、１３は測定データ記憶部、１４はマップ記憶部、１５は設置位置記憶部、１６は画像記憶部、１７は向き検出部、１８はデジタルカメラ、１８ａは撮影用レンズ、１９は外部Ｉ／Ｆ部、２０はメディアスロット、２１は表示部、２２は操作部、２３は操作部、２５はマップ描画部、２６は位置設定部、２７はマップ取得部、２８はマップ作成部、３１はＣＰＵ、３２は無線通信部、３３は測定用回路、３８は測定用センサー、４０・４１・４２・４３はマップ、５１・５２・５３はユニット名表示、５５は方位マーク、７０はコンピュータ、７１はＣＰＵ、７２は表示装置、７３は入力装置、７４は出力装置、７５は記憶装置、７６はスキャナ、７７はプリンタ、７８はＵＳＢメモリ、Ｍ１は直線描画用アイコン、Ｍ２は四角形描画用アイコン、Ｍ３は円描画用アイコン、Ｍ４は三角形描画用アイコン、Ｍ５は方位設定アイコン、Ｍ６は文字入力用アイコン、Ｐ１・Ｐ２・Ｐ３・Ｐ３ａは設置位置、Ｓ１〜Ｓ３・Ｓ１１〜Ｓ１４はステップ、Ｚは軸である。
【図１】
2014093629.tif 000003
【図２】
2014093629.tif 000004
【図３】
2014093629.tif 000005
【図４】
2014093629.tif 000006
【図５】
2014093629.tif 000007
【図６】
2014093629.tif 000008
【図７】
2014093629.tif 000009
【図８】
2014093629.tif 000010
【図９】
2014093629.tif 000011
【図１０】
2014093629.tif 000012
【図１１】
2014093629.tif 000013
【図１２】
2014093629.tif 000014
【図１３】
2014093629.tif 000015
【図１４】
2014093629.tif 000016
【図１５】
2014093629.tif 000017